(57)【特許請求の範囲】
【請求項１】
商品陳列用枠体や壁面に着脱可能又は着脱不可能に取り付けられる係合片と、この係合片に後端部が固定された複数の商品を着脱可能に吊持するフック部材と、
前記フック部材にスライド移動可能に取り付けられ上部には引張りバネを固定する固定部を有する該フック部材に吊持された商品を前方に押し付けることができる押し付け体と、
前記押し付け体の上部に後端が取り付けられ先端部を前方へ延出させた該押し付け体をスライド移動させる操作バーと、
前記係合片と前記固定部を接続して前記押し付け体を常時後方へ付勢する引張りバネと、を備えることを特徴とする商品陳列具。
【請求項２】
前記商品陳列用枠体や壁面に着脱可能に取り付けられる係合片において、前記商品陳列用枠体が線材で形成される網目状枠体であり、前記係合片が前記線材に嵌着する鉤部を有するものである請求項１記載の商品陳列具。
【請求項３】
前記商品陳列用枠体や壁面に着脱可能に取り付けられる係合片において、前記商品陳列用壁面が少なくとも一対の係合溝を有する壁面であり、前記係合片が前記係合溝に係合する一対の係合部を有するものである請求項１記載の商品陳列具。
【請求項４】
前記商品陳列用枠体や壁面に着脱可能に取り付けられる係合片において、前記商品陳列用壁面が少なくとも一個の係合孔を有する壁面であり、前記係合片が前記係合孔に係合する係合部を有するものである請求項１記載の商品陳列具。
【発明の詳細な説明】
【０００１】
【発明の属する技術分野】
本発明は、複数の商品を吊り下げた状態に整列して陳列するのに好適な商品陳列具に関する。
【０００２】
【従来の技術】
図１０は、従来における商品陳列具の一例を示している。
図１０において、商品陳列具５１は、店内に設置した商品陳列用の枠体や壁面等に固定された取り付け部材（スライドレール）５２と、定荷重バネ５６の巻取りにより商品を前方へ押し出す商品押し付け体５５とから構成され、この取り付け部材５２の先端には、商品の滑り落ちを防止するため突起状の係止部５４を設けた先端具５３が取り付けられている。
【０００３】
このように構成された商品陳列具５１を用いて商品を陳列する場合は、図１０に示すように商品３０を収納した合成樹脂製容器３０ａの上端部に形成した穴を２本の平行なスライドレール５２に係合することにより吊り下げ状態に保持し、この使用で多数の商品を取り付け部材５２の長手方向に整列させて吊り下げる。商品陳列具５１に保持されている商品を取り出す場合は、先端側の商品を手で把持して先端具５３の係止部５４から抜き取ることで行われる。この時、商品押し付け体５５の作用により、商品群全体が前方に押され、先端の商品は、常に商品陳列棚の最先端で整列することになる。
【０００４】
図８及び図９は、従来における商品の前出し具の一例を示している。また、図９は図８のＩ−Ｉ線に沿って見た図である。図８及び図９において、商品の前出し具５７は先端に下向きでかつ末広がり状となした一対の係止爪５８、５８と突設した操作バー２１を外筒内に伸縮自在な状態に収納したもので、陳列商品３０を前出しする時にはポケット等よりこれを取り出し、操作バー２１を外筒より引き出して伸長させ、先端の係止爪を吊り下げ商品相互間の隙間より後方に挿入させ、商品の吊り下げ部材を引っ掛け手前に引っ張るようにして前出し作業を行うものである。
【０００５】
しかしながら、上記のような従来の商品陳列具では、商品を収納した合成樹脂製容器３０ａの上端部の穴の形状を２本の平行な取り付け部材５２と先端具５３の係止部５４の形状を考慮した特定の形状とする必要があり、歯ブラシ等の細身の商品陳列には不向きである。また、先端具５３の係止部５４だけでは商品の滑り落ちを防止することはできず、おのずと商品の重量に応じた定荷重バネ５６を選択する必要がある。更に、バネ力の弱い定荷重バネ５６を用い、商品押し付け体５５を円滑に摺動させるには、取り付け部材５２と商品押し付け体５５の摺動部の加工精度を上げる必要がある等の問題があった。
また、上記のような従来の商品の前出し具では、前出し具をいちいち保管管理する必要があるため、これを紛失するような事態ではもはや何の機能も果たさないという問題があった。
【０００６】
【発明が解決しようとする課題】
従って、本発明の目的は、複数の商品を着脱可能に吊持する一本のフック材を有する商品陳列具において、商品の前出しは、過度の押圧による商品の変形又は破損を生じることのないものとし、前出し後は、手動又は自動的に押し付け体が元に収納され、客の通行を妨げることのない、安全で簡易な構造の商品陳列具を提供することにある。
【０００７】
【課題を解決するための手段】
すなわち、本発明は、商品陳列用枠体や壁面に着脱可能又は着脱不可能に取り付けられる係合片と、この係合片に後端部が固定された複数の商品を着脱可能に吊持するフック部材と、前記フック部材にスライド移動可能に取り付けられ上部には引張りバネを固定する固定部を有する該フック部材に吊持された商品を前方に押し付けることができる押し付け体と、前記押し付け体の上部に後端が取り付けられ先端部を前方へ延出させた該押し付け体をスライド移動させる操作バーと、前記係合片と前記固定部を接続して前記押し付け体を常時後方へ付勢する引張りバネと、を備えることを特徴とする商品陳列具を提供するものである。
【０００８】
また、本発明は、前記商品陳列用枠体や壁面に着脱可能に取り付けられる係合片において、前記商品陳列用枠体が線材で形成される網目状枠体であり、前記係合片が前記線材に嵌着する鉤部を有するものである。
また、本発明は、前記商品陳列用枠体や壁面に着脱可能に取り付けられる係合片において、前記商品陳列用壁面が少なくとも一対の係合溝を有する壁面であり、前記係合片が前記係合溝に係合する一対の係合部を有するものである。
また、本発明は、前記商品陳列用枠体や壁面に着脱可能に取り付けられる係合片において、前記商品陳列用壁面が少なくとも一個の係合孔を有する壁面であり、前記係合片が前記係合孔に係合する係合部を有するものである。
【０００９】
本発明においては、摺動自在な押し付け体と係合片を弾性体で連結することにより、商品の前出しは、該押し付け体に取り付けた操作バーを手動により引き出すことにより行い、前出し後は、押し付け体が自動的に元に戻るため、商品の過度の押圧による変形等も生じることがなく、また、客の通行の妨げとなることもなく安全である。
また、本発明においては、摺動自在な押し付け体と係合片を着脱可能に連結することにより、商品の前出し及び元への押し戻しは、該押し付け体に取り付けた操作バーで手動により行い、押し戻し後は、押し付け体が係合片に連結されるため、商品の過度の押圧による変形等も生じることがなく、また、客の通行の妨げとなることもなく安全である。
また、本発明においては、商品陳列用枠体又は壁面が、線材で形成される網目状の枠体、一対の係合溝を有する壁面又は係合穴を有する壁面に対し、これに係合する係合片が、それぞれ鉤部、一対の係合片又は係合部とすることにより、如何なる種類の商品陳列用枠体又は壁面にも取り付けが可能であり、汎用性が高まる。
【００１０】
【発明の実施の形態】
（第１の実施の形態）
本発明の実施の形態について、図１を参照して説明する。
図１は本発明の第１の実施の形態における商品陳列具を示す斜視図である。
図１において、１１は商品陳列棚のバー部材、１２は該バー部材１１に着脱可能又は着脱不可能に取り付けられる商品陳列具である。この商品陳列具１２は上部に付勢コイルの一端を固定する固定部３２を有するチャンネル状の係合片１と、この係合片１に後端部が溶接等によって固定され、先端部が上方へ傾斜された複数の商品Ａを着脱可能に吊持するフック部材２と、押し付け体３と、前記押し付け体３に取り付けられ該押し付け体３をスライド移動させる先端部が前記フック部材２の先端寄りの部位に位置する操作バー４と、前記押し付け体３を常時後方へ付勢する付勢コイル５と、を備える。
押し付け体３は、前記フック部材２を遊嵌する丸穴３２を有する断面が略矩形状であり、上部には付勢コイル５の一端を固定する固定部３１を備え、さらに、前記操作バー４の一端を固定している。また、操作バー４の先端部には操作を容易にする摘み部４１が形成されている。
【００１１】
図１の商品陳列具１２において、フック部材２に吊持された商品Ａが売れてフック部材２の先端部の商品がなくなった場合には、操作バー４の摘み部４１を摘み、付勢コイルの付勢力に抗して操作バー４を引き出すことにより、押し付け体３が前方へスライド移動し、商品Ａを前方へ押し出す。次いで、押し付け体３は摘み部４１を離せば付勢コイル５のバネ付勢により後方へ引っ張られ、係合片１の前面端で停止する。
かかる構成を採る商品陳列具１２は、簡単な構造により、商品の過度の押圧による変形を防止するとともに押し付け体がすみやかに収納されるため、客の通行の妨げとなることがない。
【００１２】
（第２の実施の形態）
図２により参考としての第２の実施の形態について説明する。
図２は、参考としての第２の実施の形態における商品陳列具を示す斜視図である。図２において、図１と同一の構成要素には同一の符号を付してその説明を省略し、図１と異なる部分を重点に述べる。
第２の実施の形態において、図１と異なる点は、図２から明らかなように、付勢コイルを無くし、係合片１と押し付け体３を着脱可能に連結するマグネット６ａ、６ｂを設けた点にある。すなわち、マグネット６ａは係合片１の前面下方部及びマグネット６ｂは押し付け体３の後面で該６ａと対応する位置にそれぞれ貼付されている。
【００１３】
図２の商品陳列具１２において、フック部材２に吊持された商品Ａが売れてフック部材２の先端部の商品がなくなった場合には、操作バー４の摘み部４１を摘み、マグネットの磁力に抗して引き出すことにより、押し付け体３が前方へスライド移動し、商品Ａを前方へ押し出す。次いで、押し付け体３を操作バー４を介して後方へ押し戻し、マグネット６ａ、６ｂの磁力により係合片１の前面端に固定する。
かかる構成を採る商品陳列具１２は、簡単な構造により、商品の過度の押圧による変形を防止するとともに押し付け体がすみやかに収納されるため、客の通行の妨げとなることがない。
【００１４】
（第３の実施の形態）
図３により本発明の第３の実施の形態について説明する。
図３は、本発明の第３の実施の形態における商品陳列具を示す斜視図である。
図３において、図１と同一の構成要素には同一の符号を付してその説明を省略し、図１と異なる部分を重点に述べる。
第３の実施の形態において、図１と異なる点は、図３から明らかなように、係合片１及びこれが係合する商品陳列用枠体又は壁面７の形態が異なる点にある。すなわち、商品陳列用枠体７は線材で構成される網目状のものであり、この網目状枠体７の横桟部材１０２に係合片１の上部に形成される鉤部が嵌着し、固定される。また、図４及び図５から明らかなように（図５は図４の取り付け後の一部の横断面を示す。）、ここでは、商品陳列用壁面９は一対の係合溝８、８を有するものであり、この係合溝８、８に係合片１の上下端に形成される一対の係合部１０３ａ、１０３ｂが係合し、固定される。該係合溝８、８は係合の着脱をし易すく、また、固定を安定させるため、入口部が突状部８ａとなるように奥が深く空けられている。また、図６及び図７（図７は図６の取り付け後の一部の横断面を示す。）から明らかなように、ここでは、商品陳列用壁面９は平板状の壁面で、これに少なくとも１個の係合穴１０を有するものであり、この係合穴１０に係合片１に一体に連結されクランク状に曲げ加工される係合片１０４が係合し、固定される。  かかる構成を採る商品陳列具１２は如何なる種類の商品陳列用枠体又は壁面にも取り付けが可能であり、汎用性が高まる。
【００１５】
本発明において、前記弾性体としては、特に制限されず、前記付勢コイルの他、板バネ、ゴム等を使用することもできる。
また、本発明において、前記操作バー４は商品を陳列するため吊り下げる際の妨げとならないよう水平方向又は垂直方向に角度自在に動くように押し付け体に固定してもよい。さらに、この角度自在とする手段は操作バー４の一部に可撓性部材を装着することにより行ってもよい。
また、本発明において、前記フック部材２は押し付け体３を安定に前出しするためその断面形状を非円形、例えば、四角形、五角形等としてもよい。この場合、押し付け体３の遊嵌穴３２はこの断面形状に対応するように形成される。
【００１６】
【発明の効果】
本発明においては、摺動自在な押し付け体と係合片を弾性体で連結することにより、商品の前出しは、該押し付け体に取り付けた操作バーを手動により引き出すことにより行い、前出し後は、押し付け体が自動的に元に戻るため、商品の過度の押圧による変形等も生じることがなく、また、客の通行の妨げとなることもなく安全である。
また、本発明においては、摺動自在な押し付け体と係合片を着脱可能に連結することにより、商品の前出し及び元への押し戻しは、該押し付け体に取り付けた操作バーで手動により行い、押し戻し後は、押し付け体が係合片に連結されるため、商品の過度の押圧による変形等も生じることがなく、また、客の通行の妨げとなることもなく安全である。
また、本発明においては、商品陳列用枠体又は壁面が、線材で形成される網目状の枠体、一対の係合溝を有する壁面又は係合穴を有する壁面に対し、これに係合する係合片が、それぞれ鉤部、一対の係合片又は係合部とすることにより、如何なる種類の商品陳列用枠体又は壁面にも取り付けが可能であり、汎用性が高まる。
【図面の簡単な説明】
【図１】本発明の第１の実施の形態における商品陳列具の斜視図である。
【図２】本発明の第２の実施の形態における商品陳列具の斜視図である。
【図３】本発明の第３の実施の形態における商品陳列具の斜視図である。
【図４】本発明の商品陳列具の商品陳列用壁面に係合する状態を示す斜視図である。
【図５】図４の取り付け後の一部を示す断面図である。
【図６】本発明の商品陳列具の商品陳列用壁面に係合する状態を示す斜視図である。
【図７】図６の取り付け後の一部を示す断面図である。
【図８】従来の商品陳列具の左側面図である。
【図９】図８のＩ−Ｉ線から見た一部の断面図である。
【図１０】従来の商品陳列具の斜視図である。
【符号の説明】
１                  係合片
２、２０            フック部材
３                  押し付け体
４、２１            操作バー
５                  付勢コイル
６ａ、６ｂ          マグネット
７                  網目状の商品陳列用枠体
９                  商品陳列用壁面
１０                  係合穴
１１                  バー部材
１２                  商品陳列具
３０、Ａ              商品
５７                  前出し具
５８                  一対の係止爪
１０１                  鉤部
１０３ａ、１０３ｂ      一対の係合部
【図１】
0003894515.tif 000002
【図２】
0003894515.tif 000003
【図３】
0003894515.tif 000004
【図４】
0003894515.tif 000005
【図５】
0003894515.tif 000006
【図６】
0003894515.tif 000007
【図７】
0003894515.tif 000008
【図８】
0003894515.tif 000009
【図９】
0003894515.tif 000010
【図１０】
0003894515.tif 000011